(57)【要約】【課題】  光ファイバケーブルの先端部に光コネクタを組み立てる組立方法の提供。【解決手段】  接続用光ファイバ１２が予め内装されたフェルール１３の接合端面１３ａに対向する後端１３ｃに、接続用光ファイバ１２と他の光ファイバとの突き合わせ接続状態をクランプ保持するクランプ部１４が設けられた光コネクタ１０を、裸光ファイバ２２の外周に被覆２３を設けてなる光ファイバ心線２４の外周に外皮２５が設けられた光ファイバケーブル２０の先端部に組み立てる場合に、先端部の外皮２５の除去により光ファイバ心線２４が露出され、光ファイバ心線２４の先端部の被覆２３の除去により裸光ファイバ２２が露出された光ファイバケーブル２０を用意する際、外皮２５と裸光ファイバ２２との間に光ファイバ心線２４が露出された長さＢを１０ｍｍ以上とし、裸光ファイバ２２をクランプ部１４に挿入し、押し込んで両光ファイバ１２，２２をクランプする。【選択図】  図１
2005208220.tif 000002
【特許請求の範囲】
【請求項１】
接続用光ファイバ（１２）が予め内装されたフェルール（１３）の接合端面（１３ａ）に対向する後端（１３ｃ）に、前記接続用光ファイバの前記フェルール後端から突出した部分（１２ｂ）と他の光ファイバとの突き合わせ接続状態をクランプして保持するためのクランプ部（１４）が設けられた光コネクタ（１０，１０Ａ）を、裸光ファイバ（２２）の外周に被覆（２３）を設けてなる光ファイバ心線（２４）の外周に外皮（２５）が設けられた光ファイバケーブル（２０）の先端部に組み立てる光コネクタの組立方法であって、
先端部の外皮の除去により光ファイバ心線が露出され、この光ファイバ心線の先端部の被覆の除去により裸光ファイバが露出された光ファイバケーブルを用意するに際し、外皮と裸光ファイバとの間に光ファイバ心線が露出された長さ（Ｂ）を１０ｍｍ以上とし、この光ファイバケーブルの裸光ファイバを光コネクタのクランプ部に挿入して、該光ファイバケーブルの裸光ファイバを接続用光ファイバと突き合わせ、さらに押し込んで両光ファイバをクランプ部によりクランプすることを特徴とする光コネクタの組立方法。
【請求項２】
前記両光ファイバのクランプ後に、光ファイバケーブルを引き戻すことを特徴とする請求項１に記載の光コネクタの組立方法。
【請求項３】
光コネクタとして、前記フェルールおよび前記クランプ部を有するコネクタ本体（１６）と、このコネクタ本体に対して着脱可能に連結可能であり光ファイバケーブルを引留めることが可能な引留め具（１７）を備える光コネクタを用い、
光ファイバケーブルの裸光ファイバを光コネクタのクランプ部に挿入するに際し、光コネクタを前記引留め具に引き留めた後に、光ファイバケーブルの裸光ファイバを光コネクタのクランプ部に挿入するとともに、引留め具をコネクタ本体に連結することを特徴とする請求項１または２に記載の光コネクタの組立方法。
【発明の詳細な説明】
【技術分野】
【０００１】
本発明は、特に接続現場等で光ファイバの先端部に組み立てることが可能な光コネクタの組立方法に関する。
【背景技術】
【０００２】
従来から、光ファイバのコネクタ成端を、工場以外の接続現場にて行う現場組立光コネクタが提案されており（例えば特許文献１参照）、これに応じて現場組立光コネクタも種々のタイプが考えられてきている。なお、現場組立光コネクタとは、予め先端面が研磨済みのフェルールに光ファイバを挿通固定することにより、接続後のフェルール研磨作業が省略される方式の光コネクタである。現場組立用以外の光コネクタを光ファイバの先端部に組み立てる作業は、予めゴムブーツ等の全てのコネクタハウジング部品の中に光ファイバ（光ファイバコード等）を挿通した状態としておき、光ファイバの先端（例えば光ファイバコード先端の樹脂被覆を除去することにより露出された裸光ファイバ）をフェルールに挿通した後にフェルール先端を研磨して、光コネクタ全体を組み上げる工程であった。
【特許文献１】特開平１０−２０６６８８号公報
【発明の開示】
【発明が解決しようとする課題】
【０００３】
近年、光ファイバネットワークの普及が進展するにつれて、光ドロップケーブルや光インドアケーブルのような光ファイバケーブル（光ケーブル）の先端部に光コネクタを組み立てて取り付けたいという要求がある。これらの光ケーブルに現場組立光コネクタを適用した場合、光ケーブル先端部の外皮を除去して光ファイバ心線を露出させ、この光ファイバ心線の先端部に現場組立光コネクタが組み立てられることになる。光ケーブルの外皮の周りにゴムブーツを被せることは困難であり、仮にそのようにしたとしても取扱い性の良いものになるとは考えがたい。そこで、ゴムブーツを使用することなく光コネクタを組み立てる方法の確立が望まれている。
【０００４】
本発明は、上記事情に鑑みてなされたものであり、光ドロップケーブルや光インドアケーブル等の光ファイバケーブルの先端部に光コネクタを組み立てるための光コネクタの組立方法を提供することを課題とする。
【課題を解決するための手段】
【０００５】
前記課題を解決するため、本発明は、接続用光ファイバが予め内装されたフェルールの接合端面に対向する後端に、前記接続用光ファイバの前記フェルール後端から突出した部分と他の光ファイバとの突き合わせ接続状態をクランプして保持するためのクランプ部が設けられた光コネクタを、裸光ファイバの外周に被覆を設けてなる光ファイバ心線の外周に外皮が設けられた光ファイバケーブルの先端部に組み立てる光コネクタの組立方法であって、先端部の外皮の除去により光ファイバ心線が露出され、この光ファイバ心線の先端部の被覆の除去により裸光ファイバが露出された光ファイバケーブルを用意するに際し、外皮と裸光ファイバとの間に光ファイバ心線が露出された長さを１０ｍｍ以上とし、この光ファイバケーブルの裸光ファイバを光コネクタのクランプ部に挿入して、該光ファイバケーブルの裸光ファイバを接続用光ファイバと突き合わせ、さらに押し込んで両光ファイバをクランプ部によりクランプすることを特徴とする光コネクタの組立方法を提供する。
【０００６】
本発明の光コネクタの組立方法においては、前記両光ファイバのクランプ後に、光ファイバケーブルを引き戻す方法を採用することもできる。
本発明の光コネクタの組立方法においては、光コネクタとして、前記フェルールおよび前記クランプ部を有するコネクタ本体と、このコネクタ本体に対して着脱可能に連結可能であり光ファイバケーブルを引留めることが可能な引留め具を備える光コネクタを用い、光ファイバケーブルの裸光ファイバを光コネクタのクランプ部に挿入するに際し、光コネクタを前記引留め具に引き留めた後に、光ファイバケーブルの裸光ファイバを光コネクタのクランプ部に挿入するとともに、引留め具をコネクタ本体に連結する方法を採用することもできる。
【発明の効果】
【０００７】
本発明によれば、クランプ部にクランプ固定される裸光ファイバと光ファイバケーブルの外皮が残された部分との間に露出された光ファイバ心線の動きの自由度が確保され、局所的に無理な曲げを受けることが抑制される。このため、損失（ロス）の小さい光コネクタを組み立てることができる。
【発明を実施するための最良の形態】
【０００８】
以下、本発明を実施するための最良の形態について、図面を参照して説明する。
図１〜図５は、本発明の光コネクタの組立方法の第１形態例を説明する図面である。図１（ａ）は、先端部に裸光ファイバ及び光ファイバ心線が露出された光ファイバケーブルの一例を示す正面図である。図１（ｂ）は、第１形態例における光コネクタの組立中の状態を説明する概略図である。図２は、第１形態例における光コネクタの組立後の状態を説明する概略図である。図３は、第１形態例における光コネクタの組立前の状態を説明する概略図である。図４は、クランプ部の横断面を示す断面図である。図５は、光ファイバケーブルを引留め具に引き留めた状態を示す断面図である。
【０００９】
図５に示すように、本形態例で用いられる光ファイバケーブル２０（以下、光ファイバケーブルを単に光ケーブルという場合がある。）は、裸光ファイバ２２の外周に被覆２３を設けてなる光ファイバ心線２４の外周に外皮２５が設けられ、外皮２５中の光ファイバ心線２４の両側に抗張力体２６が埋設されたインドアケーブルである。この光ケーブル２０は、先端部（裸光ファイバ２２の端面２１に近い側）の外皮２５の除去により光ファイバ心線２４が露出され、この光ファイバ心線２４の先端部の被覆２３の除去により裸光ファイバ２２が露出されている。
裸光ファイバ２２は、例えば石英系光ファイバである。また、被覆２３は、例えば紫外線硬化性樹脂やポリアミド樹脂などを１層または複数層、ほぼ同心円状に被覆した樹脂被覆である。
【００１０】
図３に示すように、本形態例で用いられる光コネクタ１０は、接続用光ファイバ１２が予め内装されたフェルール１３と、フェルール１３の接合端面１３ａに対向する後端１３ｃに設けられ、接続用光ファイバ１２のフェルール１３後端１３ｃから突出した部分１２ｂと他の光ファイバとの突き合わせ接続状態をクランプして保持するクランプ部１４と、フェルール１３及びクランプ部１４を収容したハウジング１１と、光ファイバケーブル２０を保持して引き留める引留め具１７とを有する。光コネクタ１０を構成する各部のうち引留め具１７を除く部分はコネクタ本体１６を構成している。ハウジング１１は、その後部に引留め具１７を着脱可能に連結するための連結部１５を有する。
ここでは、フェルール１３及びクランプ部１４はハウジング１１内に収容されて固定されており、このような光コネクタ１０は、光コネクタレセプタクルとして使用することができるものである。
【００１１】
フェルール１３は、特に限定されるものではないが、例えば、ジルコニアなどのセラミックスや、ガラスなどの硬質の材料から構成されたものを用いることができる。また、フェルール１３の一部又は全部を合成樹脂で成形したものを採用することもできる。
フェルール１３は、接合端面１３ａと後端１３ｃとの間を貫通する微細孔１３ｂを有する。微細孔１３ｂには、接続用光ファイバ１２が内装され、接着剤等により固定されている。ここでは、接続用光ファイバ１２のうちフェルール１３に内装された部分を符号１２ａ、フェルール１３後端１３ｃから突出した部分を符号１２ｂにより示す。フェルール１３の接合端面１３ａは、予め研磨を施しておくとよい。
【００１２】
図３，図４には、クランプ部１４は、一体化時に光ファイバ１２，２２を挟み込む二つ割り構造の素子１４ａ，１４ｂ，１４ｃと、これら素子１４ａ，１４ｂ，１４ｃを内部に挟み込むことにより素子１４ａ，１４ｂ，１４ｃの一体化状態を維持するコ字状のバネ部材１４ｓを有する。
ここでは、素子１４ａ，１４ｂ，１４ｃは、細長形状の基体１４ａと、この基体１４ａに対向して前後に並べて配置される蓋体１４ｂ，１４ｃとからなる。素子１４ａ，１４ｂ，１４ｃは、バネ部材１４ｓのクランプ力によって、角柱状に一体化されている。なお、素子１４ａ，１４ｂ，１４ｃは円柱状（二つ割りの各素子は断面半円状）であってもよく、その場合、バネ部材１４ｓは断面Ｃ字状のものを用いるとよい。
【００１３】
基体１４ａと先端側の蓋体１４ｂとが重ね合わされる合わせ面には、調心機構として、光ファイバ１２，２２を位置決めして調心する位置決め溝１４ｄが形成されている。位置決め溝１４ｄはフェルール１３の微細孔１３ｂの延長線上に沿って基体１４ａの長手方向に延びている。位置決め溝１４ｄが形成される箇所は、基体１４ａの合わせ面に形成された構成、蓋体１４ｂ側の合わせ面に形成された構成や、基体１４ａおよび蓋体１４ｂの両側に形成された構成など、各種採用可能である。位置決め溝１４ｄの断面形状は、例えばＶ溝であるが、Ｕ溝、丸溝（断面半円形の溝）などであってもよい。位置決め溝１４ｄは、接続される光ファイバ１２，２２の対ごとに（心数分：ここでは１本）設けられる。
【００１４】
基体１４ａと後端側の蓋体１４ｃとが重ね合わされる合わせ面には、位置決め溝１４ｄの延長上に心線収納溝１４ｅが設けられている。この心線収納溝１４ｅは、基体１４ａと後端側の蓋体１４ｃとが重ね合わされる合わせ面の丁度互いに対面する位置に形成されている。心線収納溝１４ｅは、光ケーブル２０の光ファイバ心線２４の先端部を収納し、かつ、素子１４ａ，１４ｃがバネ部材１４ｓでクランプされたときに、光ファイバ心線２４をしっかりとクランプ固定できる形状になっている。
【００１５】
クランプ部１４の後端には、心線収納溝１４ｅに連通した光ファイバ挿入口１４ｆが開口している。光ファイバ挿入口１４ｆは、基体１４ａおよび後端側の蓋体１４ｃの合わせ面にテーパ状（漏斗状）に形成されている。裸光ファイバ２２を光ファイバ挿入口１４ｆからクランプ部１４に挿入すると、心線収納溝１４ｅを経て位置決め溝１４ｄに誘導され、接続用光ファイバ１２のフェルール１３後端１３ｃから突出した部分１２ｂと突き合わされる。
【００１６】
さらに、基体１４ａおよび蓋体１４ｂ，１４ｃが重ね合わされる合わせ面の一側縁部には、図４に示すように、クランプ部１４を開放する開放部材として機能する楔Ｋを挿入するための楔挿入溝１４ｋが形成されている。クランプ部１４は、楔挿入溝１４ｋに楔Ｋの先端部Ｋ１を圧入することにより、バネ部材１４ｓのクランプ力に抗して基体１４ａと蓋体１４ｂ，１４ｃとを押し開くことができるようになっている。そして、楔挿入溝１４ｋから楔Ｋを抜くと、基体１４ａと蓋体１４ｂ，１４ｃとの間を閉じて、再びバネ部材１４ｓのクランプ力によって一体化された状態とすることができる。
なお、光コネクタ１０は、楔Ｋの先端部Ｋ１をクランプ部１４の楔挿入溝１４ｋに予め挿入しておくことにより、楔Ｋを光コネクタ１０に取り付けた状態で、販売、携帯等を行うことが可能である。この場合、配線現場における作業時に、光コネクタに合った楔を用意したり、楔Ｋをクランプ部１４に割り入れたりする手間が省略できる。
【００１７】
ハウジング１１のフェルール１３の接合端面１３ａが設けられた側である先端側に対向する後端部１１ｂには、クランプ部１４の光ファイバ挿入口１４ｆに通ずる光ファイバ挿入口１１ａが形成されている。
【００１８】
図５に示すように、引留め具１７は、底壁部１７ａと、該底壁部１７ａの両側縁から互いに対向するように設けられた一対の側壁部１７ｂ，１７ｂとを有して断面コ字状に形成されており、両側壁部１７ｂ，１７ｂの間は、光ケーブル２０の外皮２５を外側から把持して保持及び引留めをする引留め溝１７ｃが形成されている。このコ字状の引留め溝１７ｃが開いた開口部は、光ケーブル２０を引留め溝１７ｃに挿入するための挿入口１７ｄとなっている。この引留め具１７は、光ケーブル２０の外皮２５を引留め溝１７ｃに嵌め込むことによって、光ケーブル２０がその長手方向の後方（図３の右向き）に引き抜かれないように引き留めることができるようになっている。光ケーブル２０をより確実に引き留めることができるように、引留め溝１７ｃの内面には、外皮２５に食い込むような鬼目状、三角柱状などの突起を設けるとよい。
【００１９】
引留め具１７は、ハウジング１１の後端部１１ｂから延出された一対の連結部１５，１５の間に挿入することにより、コネクタ本体１６と着脱可能に一体化できるようになっている。連結部１５の具体的構成は特に限定されるものではなく、引留め具１７との間で、例えば嵌合や係合、弾性力、ラチェット等によって引留め具１７の位置を留めるものである。本発明の光コネクタの組立方法を実施するためには、引留め具１７や連結部１５は特に必須ではないが、図示したように光ケーブル２０を引留め具１７に引留め保持して取り扱い、連結部１５によって案内されながら引留め具１７をコネクタ本体１６と一体化するようにすると、光ケーブル２０の先端部に露出された裸光ファイバ２２を確実にクランプ部１４後端の光ファイバ挿入口１４ｆに挿入できるという利点がある。また、組立のための専用工具が不要になるので、特に、光ファイバを配線する現場では、配線作業の効率化、低コスト化等の点で極めて有利である。
【００２０】
次に、本形態例の光コネクタ１０を光ケーブル２０の先端部に組み立てる手順の一例を説明する。
まず、図１（ａ）に示すように、光ケーブル２０の先端部の外皮２５を除去して光ファイバ心線２４を露出させ、さらに光ファイバ心線２４の先端部の被覆２３を除去して裸光ファイバ２２を露出させる。光ケーブル２０は、裸光ファイバ２２や光ファイバ心線２４の露出作業後に引留め具１７に引き留めてもよく、あるいは、光ケーブル２０を引留め溝１７ｃに嵌め込んで引留め具１７に引き留めた後に裸光ファイバ２２や光ファイバ心線２４の露出作業を行ってもよい。
【００２１】
裸光ファイバ２２を露出する長さＡは、光ファイバ心線２４の先端部が心線収納溝１４ｅに収納されたところで、裸光ファイバ２２が位置決め溝１４ｄに収納され、かつ端面２１が接続用光ファイバ１２のフェルール１３後端１３ｃから突出した部分１２ｂの端面と突き合わされるように調整する。
光ファイバ心線２４を露出する長さＢは、長さＢが１０ｍｍ以上となるようにする。詳しくは後述するが、これにより、光ファイバ心線２４が局所的に無理な曲げを受けることが抑制され、損失（ロス）の小さい光コネクタを組み立てることができるようになる。長さＢの上限は特に限定されるものではないが、コネクタ本体１６の大型化を避けるためには５０ｍｍ以下であること（長さＢが１０〜５０ｍｍの範囲内）が好ましい。より好ましくは、長さＢが１０〜３０ｍｍの範囲内である。
【００２２】
コネクタ本体１６のクランプ部１４には、基体１４ａと蓋体１４ｂ，１４ｃとの間に楔Ｋを差し入れておき、基体１４ａと蓋体１４ｂ，１４ｃとの間を押し開いておく。
図３に示すように、光ケーブル２０を引留め具１７に引き留めた状態で引留め具１７を連結部１５に連結し、裸光ファイバ２２をクランプ部１４内の位置決め溝１４ｄに向けて押し込む。これにより、光ケーブル２０の裸光ファイバ２２がクランプ部１４内の接続用光ファイバ１２に対して位置決めされ、裸光ファイバ２２を光ファイバ挿入口１１ａ，１４ｆからクランプ部１４の位置決め溝１４ｄに正しく挿入することができる。さらに裸光ファイバ２２はクランプ部１４内で接続用光ファイバ１２のフェルール１３後端から突出した部分１２ｂと突き合わされる。
【００２３】
図１（ｂ）に示すように、裸光ファイバ２２が接続用光ファイバ１２と突き合わされてから、更に光ケーブル２０を長さＣだけ押し込むことにより、ハウジング１１の後端部１１ｂ（光ファイバ挿入口１１ａ）と光ケーブル２０の外皮２５を有する部分（引留め具１７）との間の空間１８で光ファイバ心線２４が湾曲し、撓む。長さＣ（たわませ量）は、例えば２ｍｍである。これにより、光ファイバ心線２４の弾性によって、光ファイバ１２，２２の端面同士に適度な押圧力が作用し、突き合わせ接続に必要な当接力を確保することができる。
【００２４】
光ファイバ心線２４のたわみを確認した後、楔Ｋを除去して基体１４ａと蓋体１４ｂ，１４ｃとの間を閉じる。これにより、クランプ部１４（詳しくは、バネ部材１４ｓ）のクランプ力により、光ファイバ１２，２２が端面同士を突き合わせた状態で素子１４ａ，１４ｂ，１４ｃ間にクランプ保持され、両光ファイバ１２，２２の光接続がなされる。
さらに図２に示すように、引留め具１７をハウジング１１の後端部１１ｂの光ファイバ挿入口１１ａから離れる方向（図２の右向き）に引き戻して光ファイバ心線２４の撓みを緩める。光ケーブル２０を引き戻す引き戻し量Ｄは、必ずしもたわませ量Ｃの全量戻す必要はなく、例えば０．５ｍｍとすることができる。これにより、光ファイバ心線２４のたわみが緩和され、光ケーブル２０の光ファイバ心線２４の曲げ損失を光伝送に適した許容範囲内に抑えることができる。
【００２５】
以上のように本形態例の光コネクタの組立方法によれば、クランプ部にクランプ固定される裸光ファイバと光ファイバケーブルの外皮が残された部分との間に露出された光ファイバ心線の動きの自由度が確保され、局所的に無理な曲げを受けることが抑制される。このため、損失（ロス）の小さい光コネクタを組み立てることができる。
【００２６】
次に、本発明の光コネクタの組立方法を、コネクタ接続時にフェルールの接合端面が後退するタイプの光コネクタに適用した場合である第２形態例について図６〜図８を参照して説明する。図６は、第２形態例における光コネクタの組立中の状態を説明する概略図である。図７は、第２形態例における光コネクタの組立後の状態を説明する概略図である。図８は、第２形態例における光コネクタの接続後の状態を説明する概略図である。
図６〜図８において、図１〜図５に用いた符号と同一の符号は、上記第１形態例に説明した構成と同一または同様であることを示し、本形態例では重複する説明を省略することがある。
【００２７】
本形態例において利用される光コネクタ１０Ａは、コネクタ接続時にフェルール１３に所定の押圧力を与えるための付勢用スプリング１９を有する。ここでは、付勢用スプリング１９は、クランプ部１４の後端に設けられた受圧部１４ｐと、これに対向するハウジング１１の後部に設けられた受圧部１１ｐとの間に装着されている。付勢用スプリング１９が両受圧部１１ｐ，１４ｐ間で圧縮されることにより、クランプ部１４の先端側に設けられたフェルール１３に付勢力が与えられ、コネクタ接続時にフェルール１３の接合端面１３ａを後退させることができる。このような光コネクタ１０Ａは、光コネクタプラグとして使用することができるものである。
なお、付勢用スプリングの配置は、必ずしもクランプ部１４の後方である必要はなく、例えば、フェルール１３の後部にフランジ（図示略）を突出させ、このフランジに対して付勢力を与えるように配置するなど、種々の改変が可能である。
【００２８】
本形態例の光コネクタ１０Ａを組み立てる方法は、光コネクタ１０について説明した方法と同様に行うことができる。つまり、図６に示すように、ハウジング１１の後端部１１ｂ（光ファイバ挿入口１１ａ）と光ケーブル２０の外皮２５を有する部分（引留め具１７）との間の空間１８で光ファイバ心線２４をたわませ、クランプ部１４のクランプを行ったあと、図７に示すように引留め具１７を引き戻して、光ファイバ心線２４のたわみを緩和する。
【００２９】
さらに本形態例の光コネクタ１０Ａでは、図８に示すように、コネクタ接続時に、フェルール１３の接合端面１３ａに他の光コネクタのフェルール端面（図示略）が突き合わされた際、付勢用スプリング１９が圧縮されることにより、コネクタ接続時にフェルール１３の接合端面１３ａを後退させることができる。このとき、クランプ部１４も後退することにより、ハウジング１１の後端部１１ｂ（光ファイバ挿入口１１ａ）と光ケーブル２０の外皮２５を有する部分（引留め具１７）との間の空間１８で光ファイバ心線２４にたわみが生じるが、図７の組立後の状態では光ファイバ心線２４のたわみが緩和されているので、光ケーブル２０の光ファイバ心線２４の曲げ損失を光伝送に適した許容範囲内に抑えることができる。
【００３０】
以上、本発明を最良の形態に基づいて説明してきたが、本発明は上述の最良の形態に限定されるものではなく、本発明の要旨を逸脱しない範囲で種々の改変が可能である。
例えば光コネクタの具体的構成は、本発明の技術的思想に適合する限り、なんら限定されるものではない。光コネクタを組み立てる具体的手順も、光コネクタの具体的構成に応じて改変可能である。
【００３１】
クランプ部の構成は、光ファイバを調心して端面同士の突き合わせ接続をクランプ保持する構成のものであれば、構造や形状は特に限定されるものではない。例えば、素子の基体に対向する蓋体の個数は１個でも複数個でもよい。
本発明は、光ファイバ穴がフェルールに複数形成され、それぞれの光ファイバ穴に接続用光ファイバが内装された光コネクタに適用することもできる。この場合、クランプ部に設けられる位置決め溝などの調心機構は、少なくとも、接続用光ファイバの本数分設ければ、該光コネクタによってコネクタ成端される光ファイバのそれぞれを、調心機構によって接続用光ファイバと光接続させることができる。
【実施例】
【００３２】
裸光ファイバ２２を露出する長さＡを１０ｍｍ、たわませ量Ｃを２ｍｍと決め、光ファイバ心線２４を露出する長さＢ（表１では「心線長」として示した）を表１に示すようにして、光コネクタを組み立てたときの損失（ロス）を測定した。
【００３３】
【表１】
2005208220.tif 000003
【００３４】
この結果を表１に示す。心線長Ｂが７ｍｍ、９ｍｍの場合は、光ファイバ心線のたわみによるロスが大きく、問題があった。これに対して心線長Ｂが１０ｍｍ、２０ｍｍ、３０ｍｍの場合は、たわみによるロス増は無かった。
【産業上の利用可能性】
【００３５】
本発明は、例えば光ファイバネットワークを構築する接続現場において、光ドロップケーブルや光インドアケーブルなどの光ファイバケーブルの先端部に光コネクタを組み立てて用いるために利用することができる。
【図面の簡単な説明】
【００３６】
【図１】（ａ）先端部に裸光ファイバ及び光ファイバ心線が露出された光ファイバケーブルの一例を示す正面図である。（ｂ）第１形態例における光コネクタの組立中の状態を説明する概略図である。
【図２】第１形態例における光コネクタの組立後の状態を説明する概略図である。
【図３】第１形態例における光コネクタの組立前の状態を説明する概略図である。
【図４】クランプ部の横断面を示す断面図である。
【図５】光ファイバケーブルを引留め具に引き留めた状態を示す断面図である。
【図６】第２形態例における光コネクタの組立中の状態を説明する概略図である。
【図７】第２形態例における光コネクタの組立後の状態を説明する概略図である。
【図８】第２形態例における光コネクタの接続後の状態を説明する概略図である。
【符号の説明】
【００３７】
１０，１０Ａ…光コネクタ、１２…接続用光ファイバ、１２ｂ…接続用光ファイバのフェルール後端から突出した部分、１３…フェルール、１３ａ…接合端面、１３ｃ…フェルールの後端、１４…クランプ部、１６…コネクタ本体、１７…引留め具、２０…光ファイバケーブル（光ケーブル）、２２…裸光ファイバ、２３…被覆、２４…光ファイバ心線、２５…外皮、Ｂ…外皮と裸光ファイバとの間に光ファイバ心線が露出された長さ。
【図１】
2005208220.tif 000004
【図２】
2005208220.tif 000005
【図３】
2005208220.tif 000006
【図４】
2005208220.tif 000007
【図５】
2005208220.tif 000008
【図６】
2005208220.tif 000009
【図７】
2005208220.tif 000010
【図８】
2005208220.tif 000011